(57)【要約】【課題】管体への固定作業、運搬先での管体の連結作業及び管体からの取り外し作業の作業性を向上させた管体搬送用浮体を提供する。【解決手段】少なくとも搬送する管体の長さと同一の長さを有し、両側部に前記管体内下部の内壁面に当接する当接部を有する浮体本体と、前記浮体本体の上面に設置された袋状のエアージャッキとを備える。【選択図】図２
2020041626.tif 000002
【特許請求の範囲】
【請求項１】
少なくとも搬送する管体の長さと同一の長さを有し、両側部に前記管体内下部の内壁面に当接する当接部を有する浮体本体と、
前記浮体本体の上面に設置された袋状のエアージャッキと
を備えることを特徴とする管体搬送用浮体。
【請求項２】
前記浮体本体の上面に設置された前記袋状のエアージャッキに連結された弁を制御する制御部を備えることを特徴とする請求項１記載の管体搬送用浮体。
【請求項３】
更に前記浮体本体に前記制御部と連結されたエアー供給装置を備えることを特徴とする請求項１または２に記載の管体搬送用浮体。
【請求項４】
前記エアー供給装置は、エアータンクまたはコンプレッサーであることを特徴とする請求項３に記載の管体搬送用浮体。
【請求項５】
前記浮体本体の底面の前記当接部の間に、前記浮体本体の前後方向に延びる切欠き部を備えることを特徴とする請求項１〜４の何れか一項に記載の管体搬送用浮体。
【請求項６】
前記浮体本体の前端部及び後端部の幅方向の中央部に切欠き部を備えることを特徴とする請求項１〜５の何れか一項に記載の管体搬送用浮体。
【請求項７】
水が存在する既設水路内に複数の管体を順次搬送して連結することにより、前記既設水路内に複数の前記管体が連結された更生管を構築する既設水路の更生方法において、
搬送される前記管体内の所定の位置に請求項１〜６の何れか一項に記載の管体搬送用浮体を配置する配置工程と、
前記袋状のエアージャッキに空気を供給して前記管体搬送用浮体を前記管体内に固定することにより、前記管体に対して前記既設水路内の水に浮かび得る浮力を付与する浮力付与工程と、
前記浮力が付与された前記管体を前記既設水路内の水に浮かせた状態で前記既設水路内の所定の位置まで搬送する搬送工程と、
搬送先において、前記袋状のエアージャッキ内の空気を排出させて前記管体の喫水を深くすることにより前記管体の高さ調整を行う高さ調整工程と
を含むことを特徴とする既設水路の更生方法。
【請求項８】
請求項７記載の既設水路の更生方法において、
前記既設水路内に設置された前記管体と前記既設水路の内壁との間に浮上防止固定具を設置する設置工程を更に含むことを特徴とする既設水路の更生方法。
【発明の詳細な説明】
【技術分野】
【０００１】
本発明は、水が存在する既設水路内において、複数の管体を順次搬送し連結することにより、既設水路内に複数の管体が連結された更生管を構築する際に用いる管体搬送用浮体及び既設水路の更生方法に関するものである。
【背景技術】
【０００２】
従来、老朽化した下水路、農業用水路及び電力水路などの管路内に水が存在する既設管を更生する方法として、既設管内に存在する水に新しい管体を浮かせた状態で既設管内に順次搬入し、既設管内において管体を順次連結することにより複数の管体が連結された更生管を構築する既設管の更生方法が提案されている（例えば、特許文献１参照。）。
【先行技術文献】
【特許文献】
【０００３】
【特許文献１】特許５５５８８８８号公報
【発明の概要】
【発明が解決しようとする課題】
【０００４】
上述の特許文献１に記載の既設管の更生方法によれば、管体内に配置された浮体の上面の管軸方向の前後２か所に支持部材である棒状のジャッキを置き、管体内上部の内壁面をジャッキで突っ張ることにより浮体を管体内に固定し、管体に浮力を付与して管体を水に浮かせた状態で既設管内に搬入している。
【０００５】
しかしながら、この既設管の更生方法においては、棒状のジャッキ自体の重量が重いため、管体内に浮体を固定する際の作業性が悪いという問題があった。また管体内に配置された浮体の上面に２つの棒状のジャッキを置き管体内に浮体を固定しているため、管体同士を接続する際の芯出し時に２つの棒状のジャッキの高さを均等に変えることが必要となり作業性が悪いという問題があった。更に棒状のジャッキを用いているため管体内上部の内壁面を点で支えることになり、芯出し時にジャッキを緩めて高さ調整する際に支持が不安定になり安定性、作業性が確保できないという問題があった。
【０００６】
本発明の目的は、管体への固定作業、搬送先での管体の連結作業及び管体からの取り外し作業の作業性を向上させた管体搬送用浮体及び該管体搬送用浮体を用いた既設水路の更生方法を提供することである。
【課題を解決するための手段】
【０００７】
本発明の管体搬送用浮体は、少なくとも搬送する管体の長さと同一の長さを有し、両側部に前記管体内下部の内壁面に当接する当接部を有する浮体本体と、前記浮体本体の上面に設置された袋状のエアージャッキとを備えることを特徴とする。
【０００８】
また本発明の管体搬送用浮体は、前記浮体本体の上面に設置された前記袋状のエアージャッキに連結された弁を制御する制御部を備えることを特徴とする。
【０００９】
また本発明の管体搬送用浮体は、更に前記浮体本体に前記制御部と連結されたエアー供給装置を備えることを特徴とする。
【００１０】
また本発明の管体搬送用浮体は、前記エアー供給装置がエアータンクまたはコンプレッサーであることを特徴とする。
【００１１】
また本発明の管体搬送用浮体は、前記浮体本体の底面の前記当接部の間に、前記浮体本体の前後方向に延びる切欠き部を備えることを特徴とする。
【００１２】
また本発明の管体搬送用浮体は、前記浮体本体の前端部及び後端部の幅方向の中央部に切欠き部を備えることを特徴とする。
【００１３】
本発明の既設水路の更生方法は、水が存在する既設水路内に複数の管体を順次搬送して連結することにより、前記既設水路内に複数の前記管体が連結された更生管を構築する既設水路の更生方法において、搬送される前記管体内の所定の位置に本発明の管体搬送用浮体を配置する配置工程と、前記袋状のエアージャッキに空気を供給して前記管体搬送用浮体を前記管体内に固定することにより、前記管体に対して前記既設水路内の水に浮かび得る浮力を付与する浮力付与工程と、前記浮力が付与された前記管体を前記既設水路内の水に浮かせた状態で前記既設水路内の所定の位置まで搬送する搬送工程と、搬送先において、前記袋状のエアージャッキ内の空気を排出させて前記管体の喫水を深くすることにより前記管体の高さ調整を行う高さ調整工程とを含むことを特徴とする。
【００１４】
また本発明の既設水路の更生方法は、前記既設水路内に設置された前記管体と前記既設水路の内壁との間に浮上防止固定具を設置する設置工程を更に含むことを特徴とする。
【発明の効果】
【００１５】
本発明によれば、管体への固定作業、管体の連結作業及び搬送先での管体からの取り外し作業の作業性を向上させた管体搬送用浮体及び該管体搬送用浮体を用いた既設水路の更生方法を提供することすることができる。
【図面の簡単な説明】
【００１６】
【図１】実施の形態に係る既設水路の更生方法において用いられる管体を示す図である。
【図２】実施の形態に係る既設水路の更生方法において用いられる管体搬送用浮体を示す図である。
【図３】実施の形態に係る既設水路の更生方法の各工程を示す図である。
【図４】実施の形態に係る既設水路の更生方法の各工程を示す図である。
【図５】実施の形態に係るエアージャッキの空気供給・排出回路を示す図である。
【図６】実施の形態に係る既設水路内を搬送される管体を下流側から見た図である。
【図７】実施の形態に係る既設水路の更生方法の各工程を示す図である。
【図８】実施の形態に係る既設水路内に設置された管体を下流側から見た図である。
【図９】実施の形態に係る既設水路の更生方法において用いられる管体搬送用浮体を示す図である。
【発明を実施するための形態】
【００１７】
以下、図面を参照して本発明の実施の形態に係る管体搬送用浮体及び既設水路の更生方法について説明する。
【００１８】
図１は、実施の形態に係る既設水路の更生方法において、既設水路内に設置される管体２を示す図である。管体２は強化プラスチック複合管（ＦＲＰＭ管）であり、ＦＲＰ層、レジンモルタル層、保護層からなる多層構造管である。管体２は一定の内外径を有する直管状の管本体部２ａを有し、管本体部２ａの一方の端部には、該管本体部２ａよりも大径の短筒状の受け口２ｂが形成されており、管本体部２ａの他方の端部には差し口２ｃが形成されている。
【００１９】
既設水路内における 管体２同士の連結は、先行する管体２の受け口２ｂに後続する管体２の差し口２ｃを挿入することにより行われる。管体２の受け口２ｂの内周面（或いは、差し口２ｃの外周面）には、図示しない止水ゴムが設けられており、管体２の受け口２ｂに他の管体２の差し口２ｃを挿入して連結すると、受け口２ｂと差し口２ｃとが止水ゴムを介して水密状態で連結される。
【００２０】
図２は、実施の形態に係る既設水路の更生方法において、既設水路内に管体２を搬入する際に用いる管体搬送用浮体４の構成を示す図であり、図２（ａ）は管体搬送用浮体４の平面図、図２（ｂ）は管体搬送用浮体４の側面図、図２（ｃ）は管体搬送用浮体４の後端部を示す図である。管体搬送用浮体４は、所定の厚さを有する発泡スチロールをＦＰＲコーティング等により補強した浮体本体５を備えており、浮体本体５の長さは少なくとも搬送する管体２の長さと同一の長さであり、管体２の長さより幾分長く、浮体本体５の幅は管体２の管本体部２ｃの内径より幾分短く形成されている。
【００２１】
浮体本体５の前端部及び後端部には、浮体本体５の角を切り落としたテーパー部５ａが形成されている。また浮体本体５の前端部及び後端部に形成されたテーパー部５ａの幅方向の中央部にはそれぞれ切欠き部５ｄ形成されている。また浮体本体５の右側部及び左側部には、その長さ方向にわたって、管体２における管体内下部の内壁面に当接する曲面形状を有する当接部５ｂがそれぞれ形成されている。更に浮体本体５の当接部５ｂの間、即ち底部の中央部には浮体本体５の前端部から後端部に向かって延びる切欠き部５ｃが形成されている。
【００２２】
管体搬送用浮体４の浮体本体５の上面には、袋状のエアージャッキ６が収容される２つのエアージャッキ収容部６ａが形成されるエアージャッキ設置部６ｂが設けられている。２つのエアーャッキ収容部６ａは、浮体本体５の前後方向に並べて設置されており、エアージャッキ６は、それぞれのエアーャッキ収容部６ａ内に設置されている。また管体搬送用浮体４の前端部近傍には、袋状のエアージャッキ６に空気を供給するエアータンク７が設置されている。
【００２３】
次に実施の形態に係る管体搬送用浮体を用いた既設水路の更生方法について説明する。この既設水路の更生方法においては、既設水路の施工区間にわたって管体２を浮かせることができる水位の水、即ち流水（または滞留水）が存在することが必要である。なお流水（または滞留水）の水位が管体２を浮かせるのに十分な水位に満たない場合は、施工区間の下流側に堰を設けて流水を堰止めるなど、何らかの手段を講じて施工区間に必要とする水位を確保する。なお、既設水路の更生方法の各工程を示す図３、図４及び図７においては、エアータンク７の図示を省略する。
【００２４】
まず図３（ａ）に示すように、既設水路２０の管体搬入部に設けられた発進スペースからクレーンなどにより、管体搬送用浮体４を流水（または滞留水）１０上に吊り降ろす。次に管体搬送用浮体４を一時、発進スペースの上流側または下流側に移動させ、図３（ｂ）に示すように、管体２を受け口２ａが下流側を向くようにしてクレーンなどにより吊り降ろす。次に図３（ｃ）に示すように、管体搬送用浮体４を流水（または滞留水）１０に浮かせた状態で管体２内に挿入し固定位置まで移動させる。
【００２５】
次に図４（ａ）に示すように、事前にエアーを充填したエアータンク７から袋状のエアージャッキ６に空気を供給して袋状のエアージャッキ６を膨らませる。図５はエアージャッキ６へ空気を供給し、またはエアージャッキ６から空気を排出させる空気供給・排出回路を示す図である。図５に示すように２つのエアージャッキ６には供給管３１及び空気供給弁３２を介してエアータンク７が接続されており、エアータンク７には着脱可能にコンプレッサー８が接続されている。また供給管３１には、空気抜き弁３３が設けられている。ここでエアージャッキ６、エアータンク７、供給管３１、空気供給弁３２及び空気抜き弁３３が浮体本体５に載置される。
【００２６】
制御部３０は、空気供給弁３２及び空気抜き弁３３により構成され、エアータンク７から供給される空気を空気供給弁３２を制御して２つの袋状のエアージャッキ６に供給して、袋状のエアージャッキ６を所定の大きさに膨らませ、エアージャッキ６を管体内上部の内壁面に押付ける。これにより管体搬送用浮体４の当接部５ｂが管体２における管体内下部の内壁面の二箇所に押し付けられ、管体搬送用浮体４は、管体２内に固定される。従って管体２には既設水路２０内の流水（または滞留水）１０に浮かび得る浮力が付与される。
【００２７】
この場合、管体搬送用浮体４の底部には管体搬送用浮体４の前後方向に延びる切欠き部５ｃが形成されているため、管体２における管体内下部の内壁面と管体搬送用浮体４の底部との間には、管体２の軸方向に貫通する隙間が形成される。
【００２８】
次に図４（ｂ）に示すように、管体２を既設水路２０内の流水（または滞留水）１０に浮かせた状態で、既設水路２０の下流から上流側（図中の矢印方向）に向かって搬送する。管体２の搬送は、施工区間の最上流側に設置された電動ウインチ（図示せず）から延びるワイヤーロープを管体２に固定し、電動ウインチによりワイヤーロープを徐々に巻き取ることにより管体２を既設水路２０内の所定の位置まで搬送する。なお管体２の搬送は人力により行ってもよい。なお図６は既設水路２０内を搬送される管体２を既設水路２０の下流側から見た図である。
【００２９】
ここで浮体本体５の前端部及び後端部には切欠き部５ｄが形成されており、底部の中央部には浮体本体５の前端部から後端部に向かって延びる切欠き部５ｃが形成されているため、既設水路２０内において管体２を搬送する際に既設水路２０内の流水（または滞留水）１０が切欠き部５ｃに沿って浮体本体５の前端部側から後端部側に向かって流れる。従って搬送時における管体２のバランスを安定させることができ、管体２が周方向へ回転すること（ローリング）が抑制される。
【００３０】
次に図４（ｃ）に示すように、管体２が所定の設置位置まで搬送されると、既設水路２０の底部に管体２を下支えする支持材（図示せず）を配置し、管体２に管体搬送用浮体４を固定しているエアージャッキ６から空気を抜く。即ち制御部３０は、空気抜き弁３３を制御して袋状のエアージャッキ６から空気を抜き、管体搬送用浮体４を管体内下部の内壁面から浮上させて管体２の喫水を深くすることにより、管体２を沈めながら支持材上に載置する。ここで２つのエアージャッキ６には、それぞれ空気抜き弁３３が接続されているため、空気抜き弁３３を制御することにより２つのエアージャッキ６から同時に空気を抜くことができる。
【００３１】
そして図７（ａ）に示すように管体２の上部に浮上防止固定具１２を配置し、管体２を既設水路２０の所定位置に支持固定する。管体２を支持固定した後、既設水路２０内に固定された管体２から管体搬送用浮体４を撤去し管体搬送用浮体４を発進エリアに移動させる。
【００３２】
先頭の管体２を施工区間の始端に支持固定した後、同様にして後続する管体２を既設水路２０内に搬入し、その差し口２ｃを先頭の管体２の受け口２ｂに挿入する。この際、既設水路２０に支持固定された先行する管体２の高さ（固定位置）は、流水（または滞留水）１０に浮いた状態の後続する管体２の高さ（浮上位置）より低い位置にある。そのため各管体２同士を連結する際に、後続する管体２を先行する管体２の高さまで下げる高さ調整（芯出し）を行う必要がある。この高さ調整は、図７（ｂ）に示すように、後続する管体２において、管体２内に管体搬送用浮体４を固定しているエアージャッキ６内の空気を徐々に抜くことにより行う。即ち制御部３０により空気抜き弁３３を制御して袋状のエアージャッキ６から空気を抜き、管体搬送用浮体４を管体内下部の内壁面から浮上させて管体２の喫水を徐々に深くする。
【００３３】
先行する管体２と後続する管体２の連結は、レバーホイストにより先行する管体２に対して後続する管体２を強制的に引き寄せ、先行する管体２の受け口２ａに後続する管体２の差し口２ｂを連結する。後続する管体２を先行する管体２に連結した後、図７（ｃ）に示すように管体２から管体搬送用浮体４を撤去し、管体搬送用浮体４を発進エリアまで移動させる。
【００３４】
以下同様にして、複数個の管体２を施工区間にわたって連結し、支持固定して更生管を構築する。その後上流側末端の管体２の外周面に、既設水路２０と管体２との間隙を閉塞する間仕切壁（図示せず）を形成する。また下流側末端の管体２の端部に、少なくとも既設水路２０と管体２との間隙下半部を閉塞する間仕切壁（図示せず）を形成する。そして下流側に形成した間仕切壁の上方の開放部からポンプ（図示せず）を差し入れ、既設水路２０と更生管との間隙に滞留する残水を揚水する。またこの残水の揚水作業と並行して、既設水路２０と更生管との間隙にエアーモルタルを注入する。残水の揚水後、排水ポンプを取り出し既設水路２０と管体２との間隙全面を閉塞する。
【００３５】
本実施の形態に係る管体搬送用浮体４によれば、管体２内に固定する際にエアージャッキ６を用いるため、管体搬送用浮体４の重量を軽くすることができ、管体搬送用浮体４による浮力を最大化することができる。また管体搬送用浮体４の重量を軽くすることができるため管体搬送用浮体４の組み立てや、吊り降ろしの作業性を向上させることができる。
【００３６】
また管体２内にエアージャッキ６により管体搬送用浮体４に固定しているため、管体上部内壁面に対する支持を面で行うことができる。従って管体上部内壁面に対する支持を点や線で行うサポートジャッキ等に比較して支持安定性を確保することができ、作業性を向上させることができる。
【００３７】
また制御部３０による空気供給弁３２及び空気抜き弁３３の操作のみで２つのエアージャッキ６の高さを均等に変更することができるため、作業を簡便化することができ作業性を向上させることができる。
【００３８】
なお上述の実施の形態においては、エアージャッキ６を浮体本体５の前後方向に２つ並べて配置しているが、エアージャッキ６は１つでもよい。この場合袋状のエアージャッキは、球形ではなく浮体本体５の前後方向が長手方向となる直方体形状であることが好ましい。更にエアージャッキ６を浮体本体５の前後方向に３つ以上並べて配置してもよい。
【００３９】
また上述の実施の形態においては、発進エリアを既設水路２０の下流側に設けているが、発進エリアを既設水路２０の上流側に設け、既設水路２０の上流側から既設水路２０内に管体２を搬入してもよい。
【００４０】
また図８に示すように、既設水路２０に管体２を固定する際に、上部だけでなく両側面も浮上防止固定具１２により固定してもよい。
【００４１】
また空気抜き弁３３を制御してエアージャッキ６毎に排出させる空気の量を制御することができる。従って管体２の傾きを微調整しながら芯出しを行うことができる。
【００４２】
また図９に示すようにエアータンク７を２つのエアージャッキ６の間に設置して管体搬送用浮体４の前後方向にバランスを安定させるようにしてもよい。この場合には、例えば操作性を向上させるために操作部７ａを浮体本体５の後端側に設置してもよい。
【００４３】
また上述の実施の形態尾においては、空気供給装置としてエアータンク７を用いているが、空気供給装置としてバッテリーの付属したコンプレッサーを用いてもよい。
【符号の説明】
【００４４】
２…管体、４…管体搬送用浮体、５…浮体本体、５ｂ…当接部、５ｃ，５ｄ…切欠き部、６…エアージャッキ、７…エアータンク、８…コンプレッサー、１０…流水（または滞留水）、１２…浮上防止固定具、２０…既設水路、３０…制御部、３２…空気供給弁、３３…空気抜き弁
【図１】
2020041626.tif 000003
【図２】
2020041626.tif 000004
【図３】
2020041626.tif 000005
【図４】
2020041626.tif 000006
【図５】
2020041626.tif 000007
【図６】
2020041626.tif 000008
【図７】
2020041626.tif 000009
【図８】
2020041626.tif 000010
【図９】
2020041626.tif 000011